(57)【特許請求の範囲】
【請求項１】
線状の連結材がリング状とされてその連結材の両端が連結された連結部を挟み込んで封緘する第１の本体部、およびこの第１の本体部に設けられる第１の結合部を有する第１のクリップ体と、
前記連結材の中間部に係合する第２の本体部、およびこの第２の本体部に設けられ前記第１の結合部との互いの結合によって第１のクリップ体を封緘状態に係止するとともにその封緘状態の解除には再度の封緘を不可とする変形を伴なわせる第２の結合部を有する第２のクリップ体と
を具備し、
前記第１の本体部は、連結材の連結部を挟み込んで封緘する一対の第１のクリップ部、およびこれら第１のクリップ部を開閉可能に連結する第１のヒンジ部を有し、
前記第１の結合部は、一対の第１のクリップ部に設けられ第２の結合部と互いに結合される第１の結合面、一方の第１のクリップ部の第１の結合面から突設された第１の突部、および他方の第１のクリップ部の第１の結合面に設けられた第１の溝部および第１の係止爪を有し、
前記第２の本体部は、連結材の中間部を挟み込んで係合する一対の第２のクリップ部、およびこれら第２のクリップ部を開閉可能に連結する第２のヒンジ部を有し、
前記第２の結合部は、一対の第２のクリップ部に設けられ第１の結合部と互いに結合される第２の結合面、一方の第２のクリップ部の第２の結合面から突設されて第１の溝部に嵌合される第２の突部、および他方の第２のクリップ部の第２の結合面に設けられ第１の突部が嵌合される第２の溝部および結合時に第１の係止爪と互いに係止するとともに係止の解除には再度の係止を不可とする変形を伴なわせる第２の係止爪を有している
ことを特徴とする封緘装置。
【請求項２】
第１の係止爪および第２の係止爪は、第１の溝部および第２の溝部内から第１の結合面および第２の結合面より突出して設けられ、結合時に相手側の第２の溝部および第１の溝部に進入する
ことを特徴とする請求項１記載の封緘装置。
【請求項３】
他方の第１のクリップ部の第１の結合面および他方の第２のクリップ部の第２の結合面の一方には突起が突設されているとともに他方には突起が嵌合する嵌合孔が設けられている
ことを特徴とする請求項１または２記載の封緘装置。
【請求項４】
鍵と、
鍵管理機に挿脱されるとともに挿入された状態で施錠、解錠される鍵管理部材と、
線状部、およびこの線状部がリング状とされてその線状部の両端が連結される連結部を有し、前記鍵と鍵管理部材とを連結する連結材と、
この連結材に対して装着される請求項１ないし３いずれか記載の封緘装置と
を具備していることを特徴とする鍵装置。
【発明の詳細な説明】
【０００１】
【発明の属する技術分野】
本発明は、線状の連結材がリング状とされてその連結材の両端が連結された連結部を挟み込んで封緘する封緘装置および鍵装置に関する。
【０００２】
【従来の技術】
従来、金融機関や流通機関などにおいては、処理機器の作動用の鍵や管理場所を開閉する鍵など、複数の重要な鍵が使用されており、これら鍵の使用可能者を制限したり、鍵の使用履歴を残すために、鍵管理機を用いて電子制御による鍵の管理をしている。
【０００３】
このような鍵管理機では、例えば、特公平７−１０３７２３号公報に記載されているように、各鍵に連結材によってキーホルダ状の固有の鍵管理部材を取り付け、鍵管理機本体に対応する鍵管理部材が挿脱されるとともに挿入された鍵管理部材を施錠解錠する複数の錠機構を設け、これら各錠機構への各鍵管理部材の挿入の有無を検知する検知部を設けている。そして、錠機構に挿入された鍵管理部材を施錠した状態で鍵を管理しておき、鍵を使用する場合には、鍵管理機本体に鍵使用者の特定のカードを通したり鍵使用者がコード番号や暗証番号などを入力するなどして承認されることで鍵管理部材を解錠し、鍵管理部材を抜き外して鍵を使用可能とする。また、鍵を返却する場合には、鍵管理部材を対応する錠機構に挿入することで、検知部で鍵管理部材を検知し、錠機構で鍵管理部材を施錠する。このようにして、使用者を特定するとともに鍵管理部材の挿入の有無を検知することで、鍵の使用可能者を制限したり、鍵の使用履歴を残している。
【０００４】
また、鍵と鍵管理部材とを連結する連結材としては、直線状のワイヤの一端に雄ねじを有する連結部を設けるとともに他端に雌ねじを有する連結部を設けたワイヤリングが用いられている。このワイヤリングでは、ワイヤを鍵および鍵管理部材に通してリング状に湾曲させるとともに両端の連結部の雄ねじと雌ねじとを互いに螺合して連結することにより、鍵と鍵管理部材とを連結している。
【０００５】
また、鍵管理機の錠機構に鍵管理部材が施錠されて、鍵管理機に鍵が管理されていても、鍵およびワイヤリングは鍵管理機の外部に露出しており、ワイヤリングの連結部のねじ螺合が解除されれば鍵を持ち出して不正使用することが可能であるため、そのワイヤリングの連結部の解除を防止するためにワイヤリングの連結部を接着剤によって固着している。
【０００６】
【発明が解決しようとする課題】
しかしながら、従来、ワイヤリングの連結部のねじ螺合の解除を防止するためにワイヤリングの連結部を接着剤によって固着しているが、その連結部の接着剤による固着を強制的に外すことは可能であり、その連結部を外した後に再度ねじ螺合された場合には不正使用されたかどうか容易に見分けられず、つまり鍵が外されたことの履歴が残らない問題がある。
【０００７】
また、ワイヤリングは直線状のワイヤをリング状にするため、鍵管理部材に対して鍵を吊下げた状態でもワイヤリングの弾性によってワイヤリングの水平方向の幅が大きくなる。鍵管理機では、複数の鍵を水平方向に並設に配列するため、ワイヤリングの水平方向の幅が大きいと、隣り合うワイヤリング間が干渉して使用しにくくなる問題があるとともに、隣り合うワイヤリング間での干渉を防止するために鍵の配列間隔を広くすれば、鍵管理機が大形化する問題がある。
【０００８】
本発明は、このような点に鑑みなされたもので、封緘状態を解除した場合には履歴を確実に残すことができる封緘装置および鍵装置を提供することを目的とする。
【０００９】
【課題を解決するための手段】
請求項１記載の封緘装置は、線状の連結材がリング状とされてその連結材の両端が連結された連結部を挟み込んで封緘する第１の本体部、およびこの第１の本体部に設けられる第１の結合部を有する第１のクリップ体と、前記連結材の中間部に係合する第２の本体部、およびこの第２の本体部に設けられ前記第１の結合部との互いの結合によって第１のクリップ体を封緘状態に係止するとともにその封緘状態の解除には再度の封緘を不可とする変形を伴なわせる第２の結合部を有する第２のクリップ体とを具備し、前記第１の本体部は、連結材の連結部を挟み込んで封緘する一対の第１のクリップ部、およびこれら第１のクリップ部を開閉可能に連結する第１のヒンジ部を有し、前記第１の結合部は、一対の第１のクリップ部に設けられ第２の結合部と互いに結合される第１の結合面、一方の第１のクリップ部の第１の結合面から突設された第１の突部、および他方の第１のクリップ部の第１の結合面に設けられた第１の溝部および第１の係止爪を有し、前記第２の本体部は、連結材の中間部を挟み込んで係合する一対の第２のクリップ部、およびこれら第２のクリップ部を開閉可能に連結する第２のヒンジ部を有し、前記第２の結合部は、一対の第２のクリップ部に設けられ第１の結合部と互いに結合される第２の結合面、一方の第２のクリップ部の第２の結合面から突設されて第１の溝部に嵌合される第２の突部、および他方の第２のクリップ部の第２の結合面に設けられ第１の突部が嵌合される第２の溝部および結合時に第１の係止爪と互いに係止するとともに係止の解除には再度の係止を不可とする変形を伴なわせる第２の係止爪を有しているものである。
【００１０】
そして、この構成では、第１のクリップ体の第１の本体部で連結材の両端の連結部を挟み込んで封緘し、第２のクリップ体の第２の本体部で連結材の中間部に係合し、これら第１のクリップ体の第１の結合部と第２のクリップ体の第２の結合部とを互いに結合することにより、第１のクリップ体を封緘状態に係止するとともにその封緘状態の解除には再度の封緘を不可とする変形を伴なわせるので、封緘状態を解除した場合には履歴が残る。さらに、第１のクリップ体の一対の第１のクリップ部で連結材の連結部を挟み込んで封緘し、第２のクリップ体の一対の第２のクリップ部で連結材の中間部を挟み込んで係合し、これら第１のクリップ体の第１の結合部と第２のクリップ体の第２の結合部とを互いに結合することにより、一方の第１のクリップ部の第１の突部と他方の第２のクリップ部の第２の溝部とが互いに嵌合するとともに、他方の第１のクリップ部の第１の溝部と一方の第２のクリップ部の第２の突部とが互いに嵌合して、各一対の第１のクリップ部および第２のクリップ部がそれぞれ閉じた状態に保持され、さらに、他方の第１のクリップ部の第１の係止爪と他方の第２のクリップ部の第２の係止爪とが互いに係止して、第１のクリップ部と第２のクリップ部とが結合状態に係止されるとともにその係止の解除には再度の係止を不可とする変形を伴なわせる。
【００１１】
請求項２記載の封緘装置は、請求項１記載の封緘装置において、第１の係止爪および第２の係止爪は、第１の溝部および第２の溝部内から第１の結合面および第２の結合面より突出して設けられ、結合時に相手側の第２の溝部および第１の溝部に進入するものである。
【００１２】
そして、この構成では、第１の溝部および第２の溝部内から第１の結合面および第２の結合面より突出して設けられた第１の係止爪および第２の係止爪が、結合時に相手側の第２の溝部および第１の溝部に進入するので、結合時の第１のクリップ体と第２のクリップ体との結合強度が向上されるとともに、第１の係止爪および第２の係止爪が隠蔽されて外部からの操作が防止される。
【００１３】
請求項３記載の封緘装置は、請求項１または２記載の封緘装置において、他方の第１のクリップ部の第１の結合面および他方の第２のクリップ部の第２の結合面の一方には突起が突設されているとともに他方には突起が嵌合する嵌合孔が設けられているものである。
【００１４】
そして、この構成では、他方の第１のクリップ部の第１の結合面および他方の第２のクリップ部の第２の結合面の一方には突起を突設するとともに他方には突起が嵌合する嵌合孔を設けたので、結合時の第１のクリップ体と第２のクリップ体との結合強度が向上される。
【００１５】
請求項４記載の鍵装置は、鍵と、鍵管理機に挿脱されるとともに挿入された状態で施錠、解錠される鍵管理部材と、線状部、およびこの線状部がリング状とされてその線状部の両端が連結される連結部を有し、前記鍵と鍵管理部材とを連結する連結材と、この連結材に対して装着される請求項１ないし３いずれか記載の封緘装置とを具備しているものである。
【００１６】
そして、この構成では、鍵と鍵管理部材とを連結する連結材に対して請求項１ないし３いずれか記載の封緘装置を装着したので、封緘装置による封緘状態が解除された場合には履歴が残る。
【００１７】
【発明の実施の形態】
以下、本発明の一実施の形態を図面を参照して説明する。
【００１８】
図６に鍵管理機11を示し、この鍵管理機11の前面には、複数の錠機構12が上下２段で水平方向に沿って並設されている。鍵管理機11の上部側には、鍵使用者の特定のカードを通して情報を読み取るカードリーダ13、鍵使用者によってコード番号や暗証番号などが入力される操作キー14、および入力される番号などの情報を表示する表示部15などが配設されている。
【００１９】
鍵管理機11で管理する複数の鍵16と固有の鍵管理部材17とが連結材としてのワイヤリング18によって連結されるとともに、ワイヤリング18が封緘装置19で封緘され、これらによって鍵装置20が構成されている。
【００２０】
錠機構12は、鍵管理部材17の先端部が挿入される挿入口12aを有し、この挿入口12a内には、特定の鍵管理部材17のみ奥側の施錠位置までの挿入を許容するとともに、特定の鍵管理部材17以外の鍵管理部材17の奥側の施錠位置までの挿入を規制する図示しない規制部が設けられている。例えば、鍵管理部材17の鍵管理部材特定部が複数の溝で、錠機構12の規制部は複数のピンで、これら複数の溝と複数のピンとの位置関係によって特定の鍵管理部材17のみを奥側の施錠位置まで許容する。また、錠機構12は、図示しないが、施錠位置まで挿入された特定の鍵管理部材17の被係止部を係脱可能に係止する係止レバー、この係止レバーを被係止部に対して係脱させるソレノイドなどの駆動部、特定の鍵管理部材17の施錠位置への挿入を検知する検知部などを有している。
【００２１】
図１に示すように、鍵16は、取付孔21を有し、この取付孔21に通されたワイヤリング18によって鍵管理部材17と連結されている。
【００２２】
また、鍵管理部材17は、板状に形成されており、基端部には取付孔22が形成され、この取付孔22に通されたワイヤリング18によって鍵12と連結されている。鍵管理部材17の先端部には、図示しないが、特定の錠機構12にのみ挿入を可能とするの鍵管理部材特定部が設けられているとともに、錠機構12によって着脱可能に係止される被係止部が設けられている。
【００２３】
また、ワイヤリング18は、元の形状が直線状でリング状に湾曲可能とする線状部としてのワイヤ23、およびこのワイヤ23の両端に設けられて互いに着脱可能に連結される連結部24，25を有している。連結部24，25は、円筒状に形成され、一方が雄ねじ、他方が雌ねじを有し、これら雄ねじと雌ねじとの螺合によって着脱可能としている。
【００２４】
また、封緘装置19は、ワイヤリング18の連結部24，25を挟み込んで封緘するクリップ体としての第１のクリップ体31と、ワイヤリング18のワイヤ23の中間部を挟み込んで係合する第２のクリップ体32と、これら第１のクリップ体31と第２のクリップ体32とを結合することにより連結部24，25の封緘状態に係止するとともにその封緘状態の解除には破壊を必要として再度の封緘を不可能とする変形を伴なわせる封緘係止手段33を有している。なお、破壊による変形には、破断した場合、元の形状に戻らない形状に変化した場合を含む。この実施の形態の封緘係止手段33は第２のクリップ体32によって構成されている。
【００２５】
図１ないし図４に示すように、第１のクリップ体31は、例えば合成樹脂製で一体に形成されており、ワイヤリング18の連結部24，25を挟み込んで封緘する第１の本体部36、およびこの第１の本体部36の先端側に形成される第１の結合部37を有している。
【００２６】
第１の本体部36は、ワイヤリング18の連結部24，25を挟み込んで封緘する一対の略板状の第１のクリップ部38，39、およびこれら第１のクリップ部38，39の基端側を連結する薄肉状の第１のヒンジ部40を有し、第１のヒンジ部40の弾性変形によって第１のクリップ部38，39が開閉可能に構成されている。これら第１のクリップ部38，39の内面間には、ワイヤリング18の連結部24，25を収納する断面略半円状の収納部41が形成されているとともに、ワイヤ23が挿通配置される挿通溝42が形成されている。
【００２７】
第１の結合部37には、一対の第１のクリップ部38，39の先端面に第２のクリップ体32と互いに結合される第１の結合面43が形成されている。一方の第１のクリップ部38の第１の結合面43には、この第１の結合面43の中央域から板状の第１の突部44が突設されている。他方の第１のクリップ部39の第１の結合面43には、この第１の結合面43の中央域に第１の溝部45が開口形成され、この第１の溝部45より第１のクリップ部39の内面側から係止爪としての複数の第１の係止爪46が突設され、第１の溝部45の両側に複数の円柱状の突起47が突設されている。
【００２８】
第１の溝部45は、第１のクリップ部39の内面側にも開口されているが、第１のクリップ部39の内面側には第１の係止爪46が突設されているためにこの第１の係止爪46との間はスリット状に形成されている。
【００２９】
第１の係止爪46は、２つで、第１の溝部45内の両側から第１の結合面43より突出して形成されており、それぞれ、第１の溝部45の奥側面から立ち上げられた立上部48、この立上部48の先端から屈曲部49を介して外側に略Ｖ字形に屈曲されるとともに先端が立上部48から離反するように傾斜状に突出された爪部50を有している。爪部50の立上部48から屈曲された基端は第１の結合面43より突出して位置されているとともに爪部50の先端は第１の溝部45内に位置されている。
【００３０】
図１ないし図３および図５に示すように、第２のクリップ体32は、例えば合成樹脂製で一体に形成されており、ワイヤリング18のワイヤ23の中間部を挟み込んで係合する第２の本体部52、およびこの第２の本体部52の先端側に形成され第１のクリップ体31の第１の結合部37との互いの結合によって第１のクリップ体31を封緘状態に係止するとともにその封緘状態の解除には破壊を必要として再度の封緘を不可とする変形を伴なわせる第２の結合部53を有している。
【００３１】
第２の本体部52は、ワイヤリング18のワイヤ23の中間部を挟み込んで係合する一対の第２のクリップ部54，55、およびこれら第２のクリップ部54，55の基端側を連結する第２のヒンジ部56を有し、第２のヒンジ部56の弾性変形によって第２のクリップ部54，55が開閉可能に構成されている。これら第２のクリップ部54，55の内面間にはワイヤリング18のワイヤ23が挿通配置される挿通溝57が形成されている。
【００３２】
第２の結合部53には、一対の第２のクリップ部54，55の先端面に第１の結合部37と互いに結合される第２の結合面58が形成されている。一方の第２のクリップ部54の第２の結合面58には、この第２の結合面58の中央域から第１の溝部45に差し込み嵌合される板状の第２の突部59が突設されている。他方の第２のクリップ部55の第２の結合面58には、この第２の結合面58の中央域に第１の突部44が差し込み嵌合される第２の溝部60が開口形成され、この第２の溝部60より第２のクリップ部55の内面側から結合時に第１の係止爪46と互いに係止するとともに係止の解除には係止爪としての複数の第２の係止爪61が突設され、第２の溝部60の両側に突起47が差し込み嵌合される複数の嵌合孔62が形成されている。
【００３３】
第２の溝部60は、第２のクリップ部55の内面側にも開口されているが、第２のクリップ部55の内面側には第２の係止爪61が突設されているためにこの第２の係止爪61との間はスリット状に形成されている。
【００３４】
第２の係止爪61は、２つで、第２の溝部60内の両側から第２の結合面58より突出して形成されており、それぞれ、第２の溝部60の奥側面から立ち上げられた立上部63、この立上部63の先端から内側に略Ｌ字形に突出された爪部64を有している。爪部64は第２の結合面58より突出して位置されている。
【００３５】
次に、本実施の形態の作用を説明する。
【００３６】
まず、鍵16と鍵管理部材17とのワイヤリング18による取り付け、および封緘装置19の装着について説明する。
【００３７】
図１(a)に示すように、ワイヤリング18のワイヤ23を鍵16の取付孔21および鍵管理部材17の取付孔22にそれぞれ通し、そのワイヤ23をリング状に曲げて両端の連結部24，25をねじ螺合して連結する。
【００３８】
図１(a)および図２に示すように、第１のクリップ体31の第１のヒンジ部40を介して互いの内面側が接近するように一対の第１のクリップ部38，39を閉じながら、一対の第１のクリップ部38，39間の収納部41に連結部24，25を収納するとともに挿通溝42に連結部24，25から出るワイヤ23を収納し、一対の第１のクリップ部38，39を閉じ合わせる。
【００３９】
第２のクリップ体32の第２のヒンジ部56を介して互いの内面側が接近するように一対の第２のクリップ部54，55を閉じながら、一対の第２のクリップ部54，55間の挿通溝57にワイヤリング18のワイヤ23の中間部を収納し、一対の第２のクリップ部54，55を閉じ合わせる。
【００４０】
図１(b)および図３に示すように、ワイヤリング18を介在させて第１のクリップ体31および第２のクリップ体32をそれぞれ閉じ合わせた後に、第１のクリップ体31の第１の結合部37と第２のクリップ体32の第２の結合部53とを互いに結合する。すなわち、第１の係止爪46と第２の係止爪61とを、第１の突部44と第２の溝部60とを、第１の溝部45と第２の突部59とを、各突起47と各嵌合孔62とをそれぞれを互いに嵌合する。
【００４１】
第１の突部44と第２の溝部60との嵌合により一方の第１のクリップ部38と他方の第２のクリップ部55とを結合状態に保持し、第１の溝部45と第２の突部59との嵌合により他方の第１のクリップ部39と一方の第２のクリップ部54とを結合状態に保持し、各突起47と各嵌合孔62との嵌合により他方の第１のクリップ部39と他方の第２のクリップ部55とを結合状態に保持する。したがって、これら結合状態の保持によって、各一対の第１のクリップ部38，39および第２のクリップ部54，55をそれぞれ閉じた状態に保持し、第１のクリップ体31と第２のクリップ体32との結合方向と交差する方向の動きを規制した状態に結合する。
【００４２】
第１の係止爪46と第２の係止爪61との嵌合は、各第１の係止爪46の屈曲部49が両側の第２の係止爪61の爪部64の先端間に進入し、各第１の係止爪46の外側に傾斜する爪部50の外面が両側の第２の係止爪61の爪部64の先端に当接し、各第１の係止爪46の立上部48の先端が互いに接近するように弾性変形するとともに各爪部50が屈曲部49を介して立上部48に接近するように弾性変形しながら、各第１の係止爪46が両側の第２の係止爪61の爪部64の先端間に圧入されていく。この過程で、第１の係止爪46が第２の溝部60内に、第２の係止爪61が第１の溝部45内に進入する。各第１の係止爪46の爪部50の先端部が両側の第２の係止爪61の爪部64間を乗り越えれば、各第１の係止爪46の立上部48および爪部50の弾性変形に対する反発力によって、各第１の係止爪46の爪部50の先端部が両側の第２の係止爪61の爪部64の第２の溝部60内に臨む基端側に係止され、第１の係止爪46と第２の係止爪61とが係止状態に嵌合される。したがって、第１の係止爪46と第２の係止爪61との係止により、第１のクリップ体31と第２のクリップ体32とを結合状態に係止する。
【００４３】
また、鍵16と鍵管理部材17との取り外しについて説明する。
【００４４】
封緘装置19の封緘状態を解除してワイヤリング18の連結部24，25のねじ螺合を外すか、ワイヤリング18のワイヤ23を切断して、鍵16と鍵管理部材17とを分離する。
【００４５】
封緘装置19の封緘状態を解除するには、封緘装置19の破壊を必要とする。例えば、第１のクリップ体31と第２のクリップ体32を互いに離反する方向に引っ張っても、第１の係止爪46の爪部50の先端は第２の係止爪61の爪部64から外れない。第１のクリップ体31と第２のクリップ体32を互いに離反する方向に強く引っ張った場合、第１の係止爪46に無理な力が作用して第１の係止爪46の立上部48の基端や屈曲部49が破断したり、第１の係止爪46の爪部50が第２の係止爪61の爪部64に引っ掛かったまま無理に第１の係止爪46が第２の係止爪61間から引き出されることで屈曲部49が延びた状態に塑性変形し、第１の係止爪46が第２の係止爪61から外れても略Ｖ字形に屈曲した元の形状に戻らなくなる。このようにして封緘を解除した場合には、第１の係止爪46が破断していたり塑性変形して破壊されるため、第１のクリップ体31と第２のクリップ体32とを再度結合しようとしても、第１のクリップ体31と第２のクリップ体32とを結合状態に係止できず、封緘状態が解除されたことを容易に把握できる。
【００４６】
また、第１のヒンジ部40や第２のヒンジ部56を切断した場合には、それらの切断状態を確認し、封緘状態が解除されたことを容易に把握できる。
【００４７】
このように、第１のクリップ体31の第１の本体部36でワイヤリング18の連結部24，25を挟み込んで封緘し、第２のクリップ体32の第２の本体部52でワイヤリング18のワイヤ23の中間部を挟み込んで係合し、これら第１のクリップ体31の第１の結合部37と第２のクリップ体32の第２の結合部53とを互いに結合することにより、第１のクリップ体31を封緘状態に係止するとともにその封緘状態の解除には破壊を必要として再度の封緘を不可とする変形を伴なわせるので、封緘状態を解除した場合には履歴を確実に残すことができる。そして、封緘解除の履歴を残せることで、鍵16の不正使用を防止できる。
【００４８】
さらに、第１のクリップ体31の一対の第１のクリップ部38，39でワイヤリング18の連結部24，25を挟み込んで封緘し、第２のクリップ体32の一対の第２のクリップ部54，55でワイヤリング18のワイヤ23の中間部を挟み込んで係合し、これら第１のクリップ体31の第１の結合部37と第２のクリップ体32の第２の結合部53とを互いに結合することにより、一方の第１のクリップ部38の第１の突部44と他方の第２のクリップ部55の第２の溝部60とが互いに嵌合するとともに、他方の第１のクリップ部39の第１の溝部45と一方の第２のクリップ部54の第２の突部59とが互いに嵌合して、各一対の第１のクリップ部38，39および第２のクリップ部54，55をそれぞれ閉じた状態に保持でき、さらに、他方の第１のクリップ部39の第１の係止爪46と他方の第２のクリップ部55の第２の係止爪61とが互いに係止して、第１のクリップ部38，39と第２のクリップ部54，55とを結合状態に係止できるとともにその係止の解除には破壊を必要とさせて再度の係止を不可とする変形を伴なわせることができる。
【００４９】
また、第１の溝部45および第２の溝部60内から第１の結合面43および第２の結合面58より突出して設けられた第１の係止爪46および第２の係止爪61が、結合時に相手側の第２の溝部60および第１の溝部45に進入するので、結合時の第１のクリップ体31と第２のクリップ体32との結合強度を向上できるとともに、第１の係止爪46および第２の係止爪61を隠蔽して外部からの操作を防止できる。
【００５０】
また、他方の第１のクリップ部39の第１の結合面43から突設された突起47と、他方の第２のクリップ部55の第２の結合面58に設けられた嵌合孔62とが嵌合するので、結合時の第１のクリップ体31と第２のクリップ体32との結合強度を向上できる。なお、他方の第１のクリップ部39の第１の結合面43に嵌合孔62を、他方の第２のクリップ部55の第２の結合面58に突起47を設けても、同様の作用効果が得られる。
【００５１】
なお、前記実施の形態のように封緘装置19を鍵装置20に適用すれば、鍵16の不正使用を防止できるが、鍵装置20への適用に限らず、ワイヤリング18などの連結材の封緘に適用でき、同様の作用効果が得られる。
【００５２】
【発明の効果】
請求項１記載の封緘装置によれば、第１のクリップ体の第１の本体部で連結材の両端の連結部を挟み込んで封緘し、第２のクリップ体の第２の本体部で連結材の中間部に係合し、これら第１のクリップ体の第１の結合部と第２のクリップ体の第２の結合部とを互いに結合することにより、第１のクリップ体を封緘状態に係止するとともにその封緘状態の解除には再度の封緘を不可とする変形を伴なわせるので、封緘状態を解除した場合には履歴を確実に残すことができる。さらに、第１のクリップ体の一対の第１のクリップ部で連結材の連結部を挟み込んで封緘し、第２のクリップ体の一対の第２のクリップ部で連結材の中間部を挟み込んで係合し、これら第１のクリップ体の第１の結合部と第２のクリップ体の第２の結合部とを互いに結合することにより、一方の第１のクリップ部の第１の突部と他方の第２のクリップ部の第２の溝部とが互いに嵌合するとともに、他方の第１のクリップ部の第１の溝部と一方の第２のクリップ部の第２の突部とが互いに嵌合して、各一対の第１のクリップ部および第２のクリップ部をそれぞれ閉じた状態に保持でき、さらに、他方の第１のクリップ部の第１の係止爪と他方の第２のクリップ部の第２の係止爪とが互いに係止して、第１のクリップ部と第２のクリップ部とを結合状態に係止できるとともにその係止の解除には再度の係止を不可とする変形を伴なわせることができる。
【００５３】
請求項２記載の封緘装置によれば、請求項１記載の封緘装置の効果に加えて、第１の溝部および第２の溝部内から第１の結合面および第２の結合面より突出して設けられた第１の係止爪および第２の係止爪が、結合時に相手側の第２の溝部および第１の溝部に進入するので、結合時の第１のクリップ体と第２のクリップ体との結合強度を向上できるとともに、第１の係止爪および第２の係止爪を隠蔽して外部からの操作を防止できる。
【００５４】
請求項３記載の封緘装置によれば、請求項１または２記載の封緘装置の効果に加えて、他方の第１のクリップ部の第１の結合面および他方の第２のクリップ部の第２の結合面の一方には突起を突設するとともに他方には突起が嵌合する嵌合孔を設けたので、結合時の第１のクリップ体と第２のクリップ体との結合強度を向上できる。
【００５５】
請求項４記載の鍵装置によれば、鍵と鍵管理部材とを連結する連結材に対して請求項１ないし３いずれか記載の封緘装置を装着したので、封緘装置による封緘状態を解除した場合には履歴を確実に残すことができる。
【図面の簡単な説明】
【図１】  本発明の一実施の形態を示す封緘装置を適用した鍵装置を示し、(a)は封緘装置の分解状態の斜視図、(b)は封緘装置の結合状態の斜視図である。
【図２】  同上封緘装置の第１のクリップ体と第２のクリップ体との結合前状態を示し、(a)は断面図、(b)は正面図である。
【図３】  同上封緘装置の第１のクリップ体と第２のクリップ体との結合状態を示し、(a)は断面図、(b)は正面図である。
【図４】  同上封緘装置の第１のクリップ体の展開状態を示し、(a)は外面図、(b)は底面図、(c)は内面図、(d)は一方の第１のクリップ部の端面図、(e)は他方の第１のクリップ部の端面図、(f)は断面図である。
【図５】  同上封緘装置の第２のクリップ体の展開状態を示し、(a)は内面図、(b)は底面図、(c)は外面図、(d)は一方の第２のクリップ部の端面図、(e)は他方の第２のクリップ部の端面図、(f)は断面図である。
【図６】  同上鍵管理装置を用いた鍵管理機の斜視図である。
【符号の説明】
16    鍵
17    鍵管理部材
18    連結材としてのワイヤリング
19    封緘装置
20    鍵装置
23    線状部としてのワイヤ
24，25    連結部
31    第１のクリップ体
32    第２のクリップ体
36    第１の本体部
37    第１の結合部
38，39    第１のクリップ部
40    第１のヒンジ部
43    第１の結合面
44    第１の突部
45    第１の溝部
46    第１の係止爪
47    突起
52    第２の本体部
53    第２の結合部
54，55    第２のクリップ部
56    第２のヒンジ部
58    第２の結合面
59    第２の突部
60    第２の溝部
61    第２の係止爪
62    嵌合孔
【図１】
0003890420.tif 000002
【図２】
0003890420.tif 000003
【図３】
0003890420.tif 000004
【図４】
0003890420.tif 000005
【図５】
0003890420.tif 000006
【図６】
0003890420.tif 000007